(57)【特許請求の範囲】
【請求項１】
振動が入力されるゴム弾性ケース内に、仕切板で仕切られ、仕切板の外周に形成された円形空間からなるオリフィス通路で連通された二つの流体室を上下に隔設した流体封入防振支持装置において、仕切板に貫通孔を形成するとともに、貫通孔に、貫通孔に対して隙間を確保して挿通される胴部と、胴部の上下に仕切板と一定間隔離されて連設される貫通孔よりも径大な当接板とからなり、振幅の大小に対応する移動をして貫通孔を閉塞、非閉塞する可動弁を取り付け、可動弁を、当接板とオリフィス通路との間にゴム板を架橋し、その途中を放射状に残して余部を切裁して流体の通路とする、ばね常数を任意に設定できるゴム弾性材の吊帯で周囲から引っ張って非閉塞の位置に保持せしめたことを特徴とする可動弁式流体封入防振支持装置。
【発明の詳細な説明】
【０００１】
【産業上の利用分野】
本発明は、自動車におけるエンジン振動が車体に伝達されるのを防止する目的で設けられるエンジンマウントやロールインシュレータ等に使用して好適な可動弁式流体封入防振支持装置に関するものである。
【０００２】
【従来の技術】
自動車におけるエンジンの振動には、中高速走行のときに発生する周波数が１５Ｈｚ以下の低周波振動のシェイク振動と、アイドル運転のときに発生する２０〜４０Ｈｚ程度の中周波振動のアイドル振動等がある。従って、流体室間を流れる流体の流動抵抗や液柱共振をいずれか一方の振動の周波数にチューニングしたのでは他方の振動を充分に吸収できない。
【０００３】
例えば、シェイク振動のときに、流体室間を流動する流体によって高減衰効果が得られるように液柱共振をチューニングしたとすると、これよりも高い周波数のアイドル振動が入力された場合、流動抵抗が増大して高動ばね化を来してしまい、アイドル振動に対する防振性能が極端に低下するといったことが生ずるのである。
【０００４】
このため、特開昭６０−１１３８２５号公報や特開昭６０−０４５１３０号公報には、流体室間を連通するオリフィス通路の他に流体室を仕切る仕切板に短絡用の貫通孔を形成するとともに、ここに可動弁を取り付ける構成のものが示されている。これにより、大きな振幅のシェイク振動が発生したときには可動弁で貫通孔を閉塞し、オリフィス通路に流体を流動させることによって振動を減衰させ、反対に小振幅のアイドル振動のときには可動弁による閉塞を抑制して貫通孔に流体を自由に往来させ、動ばね定数の上昇を抑えて振動を吸収しようとするものである。
【０００５】
【発明が解決しようとする課題】
しかし、前記した先行例には次のような欠点がある。即ち、いずれの先行例とも、フリーな状態では可動弁は貫通孔を形成した仕切板に接触していて貫通孔を塞いだ状態にある。従って、こじれやねじれが生ずると作動不良を起こすことがある。又、流体が不規則な動きをすると円滑に動かないことも予想される。特に、ＦＲ車におけるエンジンマウント等では防振装置自体が傾いて取り付けられるから、作動不良の懸念は一層心配される。
本発明は、このような課題を解決するものであって、振動入力や取付姿勢に影響されることなく、可動弁を確実に作動させるようにしたものである。
【０００６】
【課題を解決するための手段】
以上の目的の下、本発明は、振動が入力されるゴム弾性ケース内に、仕切板で仕切られ、仕切板の外周に形成された円形空間からなるオリフィス通路で連通された二つの流体室を上下に隔設した流体封入防振支持装置において、仕切板に貫通孔を形成するとともに、貫通孔に、貫通孔に対して隙間を確保して挿通される胴部と、胴部の上下に仕切板と一定間隔離されて連設される貫通孔よりも径大な当接板とからなり、振幅の大小に対応する移動をして貫通孔を閉塞、非閉塞する可動弁を取り付け、可動弁を、当接板とオリフィス通路との間にゴム板を架橋し、その途中を放射状に残して余部を切裁して流体の通路とする、ばね常数を任意に設定できるゴム弾性材の吊帯で周囲から引っ張って非閉塞の位置に保持せしめたことを特徴とする可動弁式流体封入防振支持装置を提供したものである。
【０００７】
【作用】
以上の手段をとることにより、即ち、可動弁は振動の振幅が一定以下のときには貫通孔を非閉塞する位置（以下、中立位置という）に吊帯で強制的に保持されるから、振幅の大小に伴うその挙動が確実であり、信頼性の高い防振機能が得られる。このことは、弾性ケースを傾けて取り付けたときにも言えるから、取付姿勢に制限を受けない。そして、この場合、吊帯のばね定数（抵抗）を変えると可動弁の移動量も当然に変わるから、振幅と貫通孔の閉塞、非閉塞との関係を所望のものにチューニングできる。
【０００８】
【実施例】
以下、本発明の実施例を図面を参照して説明する。図１はエンジンマウント用の流体封入防振支持装置の横断面図、図２は図１のＡ−Ａ断面図であるが、本例における流体封入防振支持装置は、金属体のカップ１０の上部に内部に空間を有せしめてゴム弾性材１２を加硫接着して被せた構造の弾性ケース１４の内部を金属製の仕切板１６で上下に仕切り、各々の空間に流体を封入して流体室１８、２０としたものである。
【０００９】
この場合、仕切板１６の上方に同じく金属製の補助板２２を張設し、仕切板１６と補助板２２との間に円形空間を形成してこれをオリフィス通路２４とすることで（２６、２８はそれぞれの流体室１８、２０に通ずる連通孔）、両流体室１８、２０に在る流体は相互に移動できるようになっている。又、下方の流体室２０の底面をダイアフラム３０で形成し、カップ１０とダイアフラム３０との間の空間を大気圧に設定している。これにより、上方の流体室１８は受圧室、下方の流体室２０は平衡室に形成される。
【００１０】
仕切板１６の中央には貫通孔３２が形成されており、ここに可動弁３４が取り付けられる。この可動弁３４は、周囲からゴム弾性材の吊帯３６で引っ張られて貫通孔３２を非閉塞する位置に保持されるものである。これにより、可動弁３４は振動の入力に伴って移動するものの、その振幅が一定以下のときには吊帯３６の作用で貫通孔３２を非閉塞したままであり、これを越える振幅の振動が入力されたときに始めて貫通孔３２を閉塞することになる。
【００１１】
ところで、この場合、吊帯３６のばね定数を変えると、同じ振幅の振動でも可動弁３４は貫通孔３２を閉塞したり、非閉塞したりすることになる。従って、ばね定数がチューニング要素となり、この点で、本発明のものはチューニング要素を拡大したものでもある。
【００１２】
本例における可動弁３４は、貫通孔３２に隙間を有して挿通される胴部３８と、胴部３８の上下に仕切板１６と一定間隔離して連設され、貫通孔３２よりも径の大きな当接板４０、４２とからなるものである。具体的には、胴部３８と下方の当接板４２とを樹脂一体物として成形し、その胴部３８に金属板からなる上方の当接板４０を嵌め込んでかしめたものである。
【００１３】
この場合、外周端が仕切板１６と補助板２２との間に介在して設けられ、オリフィス通路２４のシール部材を兼ねるゴム板４４を上方の当接板４０と胴部３８との間まで延ばし、途中の架橋部（当接板４０と端部との間）を放射状４本程度残してこれを吊帯３６とするとともに、余部を切裁して流体の通路としている。これにより、可動弁３４は吊帯３６の引張力で上下、左右共均衡した一定の位置（中立位置）に保持される。尚、このときの吊帯３６の幅や厚みを変えると、そのばね定数も変更される。
【００１４】
以上により、振動が入力されないときには可動弁３４は吊帯３６の作用で両当接板４０、４２が仕切板１６から離れた位置、即ち、中立位置に保持される。又、入力されてもその振幅が当接板４０、４２と仕切板１６との間隔までに達しないときも同様である。従って、両流体室１８、２０に在る流体は可動弁３４の胴部３８と貫通孔３２との隙間を通って自由に行き来でき、動ばね定数を上昇させない。この結果、アイドル振動の吸収に効果がある。尚、この場合、貫通孔３２を第二のオリフィス通路２４になるようにチューニングすれば、１００Ｈｚ程度の高周波振動のこもり音の吸収にも効果がある。
【００１５】
これに対して大きな振幅の振動が入力されて可動弁３４が仕切板１６までの間隔以上に上行又は下行しようとすると、両当接板４０、４２は仕切板１６に当接して貫通孔３２を閉塞してしまうから、流体はオリフィス通路２４を積極的に流動して減衰効果を発揮する。この結果、シェイク振動の減衰に効果がある。このようにして、アイドル振動、シェイク振動、こもり音等周波数の異なるすべての振動に対して吸収、減衰効果を発揮するのである。
【００１６】
図３は本発明の他の実施例を示す流体封入防振支持装置の要部断面図であるが、本例のものは、前記したゴム板４４の内周端を上方の当接板４０と突き合わせて直接加硫接着したものである（ゴム板４４を当接板４０の下方まで延長させない）。当接板４０の厚みを厚くでき、ダンパー効果を期待できるものである。
【００１７】
図４も本発明の他の実施例を示す流体封入防振支持装置の要部断面図であるが、本例のものは、可動弁３４の胴部３８を廃して別々の当接板４０、４２を貫通孔３２の上下に二枚置いたものである。部品が共通化できるとともに、かしめ等の加工が不要になり、コストを安くできる利点がある。
【００１８】
【発明の効果】
以上、本発明は、可動弁をゴム弾性材の吊帯で中立位置に均衡させるものであるから、幅広い周波数域の振動を吸収、減衰できるこの種の可動弁式流体封入防振支持装置のもっとも基本的な要素である可動弁の確実な動きを保証する。従って、信頼性の高い防振支持装置を具現できたのである。更に、吊帯のばね定数を変えることで、貫通孔を閉塞、非閉塞する振幅をチューニングできる。
【図面の簡単な説明】
【図１】本発明の実施例を示す可動弁式液体封入防振支持装置の縦断面図である。
【図２】図１のＡ−Ａ断面図である。
【図３】本発明の他の実施例を示す可動弁式液体封入防振支持装置の要部の縦断面図である。
【図４】本発明の他の実施例を示す可動弁式液体封入防振支持装置の要部の縦断面図である。
【符号の説明】
１４  弾性ケース
１６  仕切板
１８  流体室
２０  流体室
２４  オリフィス通路
３２  貫通孔
３４  可動弁
３６  吊帯
３８  胴部
４０  当接板
４２  当接板
【図１】
0003547494.tif 000002
【図２】
0003547494.tif 000003
【図３】
0003547494.tif 000004
【図４】
0003547494.tif 000005